(57)【特許請求の範囲】
【請求項１】
センター端末から送信されてきた、レシートに印刷される予め決定された印刷イメージの印刷イメージデータを作成するための部品データと、前記部品データを組み合わせて前記印刷イメージの前記印刷イメージデータを作成するための組立情報と、を受信する店舗側受信手段と、
前記部品データと前記組立情報を利用して前記印刷イメージデータを作成する店舗側作成手段と、
前記店舗側作成手段が作成した前記印刷イメージデータを保持する店舗側保持手段と、
前記店舗側保持手段が保持する前記印刷イメージデータをＰＯＳ端末に送信する店舗側送信手段と、を有する店舗端末。
【請求項２】
請求項１に記載の店舗端末において、
前記組立情報は、レシートに印刷されるイメージごとに、その印刷イメージデータを作成するため使用する前記部品データを特定する部品特定情報と、前記印刷イメージデータ内の前記特定した前記部品データの位置を特定する位置特定情報と、を関連付けた情報を含む店舗端末。
【請求項３】
請求項２に記載の店舗端末において、
１つの印刷イメージデータを作成するために使用する複数の前記部品データの中の任意の１つを親部品データとし、他の部品データを子部品データとした際に、前記位置特定情報は、前記印刷イメージデータ内の前記親部品データの位置を絶対座標で特定する情報と、前記子部品データの位置を前記親部品データの位置からの相対座標で特定する情報と、からなる店舗端末。
【請求項４】
請求項１から３のいずれか一に記載の店舗端末において、
前記印刷イメージデータはビットマップ形式のデータである店舗端末。
【請求項５】
センター端末と、店舗端末と、ＰＯＳ端末と、からなるレシート作成システムであって、
前記センター端末は、
レシートに印刷される予め決定された印刷イメージの印刷イメージデータを作成するための部品データと、前記部品データを組み合わせて前記印刷イメージの前記印刷イメージデータを作成するための組立情報と、を前記店舗端末に送信するセンター側送信手段を有し、
前記店舗端末は、
前記センター側送信手段から送信された前記部品データと前記組立情報を受信する店舗側受信手段と、
前記部品データと前記組立情報を利用して前記印刷イメージデータを作成する店舗側作成手段と、
前記店舗側作成手段が作成した前記印刷イメージデータを保持する店舗側保持手段と、
前記店舗側保持手段が保持する前記印刷イメージデータを前記ＰＯＳ端末に送信する店舗側送信手段と、を有し、
前記ＰＯＳ端末は、
前記店舗側送信手段から送信された前記印刷イメージデータを受信するＰＯＳ側受信手段と、
前記ＰＯＳ側受信手段が受信した前記印刷イメージデータを保持するＰＯＳ側保持手段と、
前記ＰＯＳ側保持手段が保持する前記印刷イメージデータを利用して前記印刷イメージをレシートに印刷するＰＯＳ側印刷手段と、
を有するレシート作成システム。
【請求項６】
請求項５に記載のレシート作成システムにおいて、
前記センター端末の前記センター側送信手段は、前記部品データと前記組立情報に加えて、前記印刷イメージをレシートに印刷するか否かを判断するための条件を前記印刷イメージごとに定めた印刷条件情報を前記店舗端末に送信し、
前記店舗端末の前記店舗側受信手段は、前記印刷条件情報を受信し、
前記店舗端末の前記店舗側保持手段は、前記印刷条件情報を保持し、
前記店舗端末の前記店舗側送信手段は、前記店舗側保持手段が保持する前記印刷条件情報を前記ＰＯＳ端末に送信し、
前記ＰＯＳ端末の前記ＰＯＳ側受信手段は、前記印刷条件情報を受信し、
前記ＰＯＳ端末の前記ＰＯＳ側保持手段は、前記印刷条件情報を保持し、
前記ＰＯＳ端末の前記ＰＯＳ側印刷手段は、
前記印刷条件情報に基づいて前記印刷イメージを印刷するか否か判断するための判断材料データを取得する取得手段と、
前記取得手段が取得した前記判断材料データと、前記ＰＯＳ側保持手段が保持する前記印刷条件情報とを利用して、前記印刷イメージをレシートに印刷するか否か判断し、レシートに印刷するよう判断した前記印刷イメージを抽出する抽出手段と、
前記抽出手段が抽出した１つ以上の前記印刷イメージの中から、レシートに印刷する前記印刷イメージを決定し、決定した前記印刷イメージの前記印刷イメージデータを利用してレシートに前記印刷イメージを印刷する第１印刷手段と、
を有するレシート作成システム。
【請求項７】
請求項５に記載のレシート作成システムにおいて、
前記店舗端末は、
ユーザの入力に従い、前記印刷イメージをレシートに印刷するか否かを判断するための条件を前記印刷イメージごとに定めた印刷条件情報を作成する店舗側条件作成手段をさらに有し、
前記店舗端末の前記店舗側保持手段は、前記印刷条件情報を保持し、
前記店舗端末の前記店舗側送信手段は、前記店舗側保持手段が保持する前記印刷条件情報を前記ＰＯＳ端末に送信し、
前記ＰＯＳ端末の前記ＰＯＳ側受信手段は、前記印刷条件情報を受信し、
前記ＰＯＳ端末の前記ＰＯＳ側保持手段は、前記印刷条件情報を保持し、
前記ＰＯＳ端末の前記ＰＯＳ側印刷手段は、
前記印刷条件情報に基づいて前記印刷イメージを印刷するか否か判断するための判断材料データを取得する取得手段と、
前記取得手段が取得した前記判断材料データと、前記ＰＯＳ側保持手段が保持する前記印刷条件情報とを利用して、前記印刷イメージをレシートに印刷するか否か判断し、レシートに印刷するよう判断した前記印刷イメージを抽出する抽出手段と、
前記抽出手段が抽出した１つ以上の前記印刷イメージの中から、レシートに印刷する前記印刷イメージを決定し、決定した前記印刷イメージの前記印刷イメージデータを利用してレシートに前記印刷イメージを印刷する第１印刷手段と、
を有するレシート作成システム。
【請求項８】
請求項６または７に記載のレシート作成システムにおいて、
前記ＰＯＳ側印刷手段の前記取得手段は、
所定のサービスの蓄積ポイント、購入履歴、性別、生年月日、住所の中のいずれか一以上のデータを記録している顧客所有の記録媒体から前記ＰＯＳ端末が読み取った情報を、前記判断材料データとして取得するレシート作成システム。
【請求項９】
請求項５から８のいずれか一に記載のレシート作成システムにおいて、
前記組立情報は、レシートに印刷されるイメージごとに、その印刷イメージデータを作成するため使用する前記部品データを特定する部品特定情報と、前記印刷イメージデータ内の前記特定した前記部品データの位置を特定する位置特定情報と、を関連付けた情報を含むレシート作成システム。
【請求項１０】
請求項９に記載のレシート作成システムにおいて、
１つの印刷イメージデータを作成するために使用する複数の部品データの中の任意の１つを親部品データとし、他の部品データを子部品データとした際に、前記位置特定情報は、前記印刷イメージデータ内の前記親部品データの位置を絶対座標で特定する情報と、前記子部品データの位置を前記親部品データの位置からの相対座標で特定する情報と、からなるレシート作成システム。
【請求項１１】
請求項５から１０のいずれか一に記載のレシート作成システムにおいて、
前記印刷イメージデータはビットマップ形式のデータであるレシート作成システム。
【請求項１２】
請求項５から１１のいずれか一に記載のレシート作成システムにおいて、
前記印刷イメージの中には、前記ＰＯＳ端末が顧客ごとに取得した顧客データを利用して決定される追加情報を付与するための付与スペースが設けられているものが存在し、当該印刷イメージの前記組立情報の中には、当該印刷イメージの前記印刷イメージデータ内の前記付与スペースの位置を特定するための付与スペース情報が含まれており、
前記店舗端末の前記店舗側作成手段は、前記組立情報の中に前記付与スペース情報が含まれている場合には、その組立情報を利用して作成した前記印刷イメージデータに前記付与スペース情報を関連付け、
前記店舗端末の前記店舗側保持手段は、前記印刷イメージデータに関連付けられた前記付与スペース情報を保持し、
前記店舗端末の前記店舗側送信手段は、前記店舗側保持手段が保持する前記付与スペース情報を前記ＰＯＳ端末に送信し、
前記ＰＯＳ端末の前記ＰＯＳ側受信手段は、前記付与スペース情報を受信し、
前記ＰＯＳ端末の前記ＰＯＳ側保持手段は、前記付与スペース情報を保持し、
前記ＰＯＳ端末の前記ＰＯＳ側印刷手段は、
前記ＰＯＳ端末が顧客ごとに取得した前記顧客データを利用して前記追加情報を決定する決定手段と、
レシートに印刷するため利用する前記印刷イメージデータ内のその印刷イメージデータに関連付けられている前記付与スペース情報で特定される位置に、前記決定手段が決定した前記追加情報を付与したイメージを、レシートに印刷する第２印刷手段と、
を有するレシート作成システム。
【請求項１３】
請求項１２に記載のレシート作成システムにおいて、
前記顧客データは、所定のサービスの蓄積ポイント、購入履歴、性別、生年月日、住所の中のいずれか一以上のデータを記録している顧客所有の記録媒体から前記ＰＯＳ端末が読み取った情報、および／または、その顧客の当該買い物における購入商品、購入金額のいずれか一以上の情報、であるレシート作成システム。
【請求項１４】
請求項５から１３のいずれか一に記載のレシート作成システムにおいて、
前記印刷イメージの中には、レシートに印刷する期間を年月日で定められたものが含まれており、
前記センター端末の前記センター側送信手段は、１日ごとにその日の利用分として定められた前記部品データおよび前記組立情報の中の、少なくとも当日分と翌日分の前記部品データおよび前記組立情報を前記店舗端末に送信し、
前記店舗端末の前記店舗側作成手段は、任意の時間に当日分と翌日分の前記印刷イメージデータを作成し、
前記店舗端末の前記店舗側送信手段は、少なくとも当日分と翌日分の前記印刷イメージデータを前記ＰＯＳ端末に送信するレシート作成システム。
【請求項１５】
センター端末から送信されてきた、レシートに印刷される予め決定された印刷イメージの印刷イメージデータを作成するための部品データと、前記部品データを組み合わせて前記印刷イメージの前記印刷イメージデータを作成するための組立情報と、を受信する工程と、
前記部品データと前記組立情報を利用して前記印刷イメージデータを作成する工程と、
前記作成した前記印刷イメージデータを格納する工程と、
格納されている前記印刷イメージデータをＰＯＳ端末に送信する工程と、を有する店舗端末によるデータ処理方法。
【請求項１６】
請求項１５に記載のデータ処理方法において、
前記組立情報は、レシートに印刷されるイメージごとに、その印刷イメージデータを作成するため使用する前記部品データを特定する部品特定情報と、前記印刷イメージデータ内の前記特定した前記部品データの位置を特定する位置特定情報と、を関連付けた情報を含むデータ処理方法。
【請求項１７】
請求項１６に記載のデータ処理方法において、
１つの印刷イメージデータを作成するために使用する複数の部品データの中の任意の１つを親部品データとし、他の部品データを子部品データとした際に、前記位置特定情報は、前記印刷イメージデータ内の前記親部品データの位置を絶対座標で特定する情報と、前記子部品データの位置を前記親部品データの位置からの相対座標で特定する情報と、からなるデータ処理方法。
【請求項１８】
請求項１５から１７のいずれか一に記載のデータ処理方法において、
前記印刷イメージデータはビットマップ形式のデータであるデータ処理方法。
【請求項１９】
センター端末から送信されてきた、レシートに印刷される予め決定された印刷イメージの印刷イメージデータを作成するための部品データと、前記部品データを組み合わせて前記印刷イメージの前記印刷イメージデータを作成するための組立情報と、を受信する処理と、
前記部品データと前記組立情報を利用して前記印刷イメージデータを作成する処理と、
前記作成した前記印刷イメージデータを格納する処理と、
格納されている前記印刷イメージデータをＰＯＳ端末に送信する処理と、を店舗端末のコンピュータに実行させるためのプログラム。
【請求項２０】
請求項１９に記載のプログラムにおいて、
前記組立情報は、レシートに印刷されるイメージごとに、その印刷イメージデータを作成するため使用する前記部品データを特定する部品特定情報と、前記印刷イメージデータ内の前記特定した前記部品データの位置を特定する位置特定情報と、を関連付けた情報を含むプログラム。
【請求項２１】
請求項２０に記載のプログラムにおいて、
１つの印刷イメージデータを作成するために使用する複数の部品データの中の任意の１つを親部品データとし、他の部品データを子部品データとした際に、前記位置特定情報は、前記印刷イメージデータ内の前記親部品データの位置を絶対座標で特定するデータと、前記子部品データの位置を前記親部品データの位置からの相対座標で特定するデータと、からなるプログラム。
【請求項２２】
請求項１９から２１のいずれか一に記載のプログラムにおいて、
前記印刷イメージデータはビットマップ形式のデータであるプログラム。
【発明の詳細な説明】
【技術分野】
【０００１】
本発明は、店舗端末、レシート作成システム、データ処理方法、および、プログラムに関する。
【背景技術】
【０００２】
ＰＯＳ端末におけるレシート発行の際、顧客が購入した商品および金額などの情報の他に、商品の割引券（クーポン券）、お薦め商品の広告、特典サービスの通知などの付加情報をレシートに印刷する技術がある（特許文献１）。
【先行技術文献】
【特許文献】
【０００３】
【特許文献１】特開平１０−１３４２５３号公報
【発明の概要】
【発明が解決しようとする課題】
【０００４】
ＰＯＳ端末による処理は、迅速性が要求される。上記のようなレシートへの付加情報の印刷を行う場合であっても、迅速に、この印刷処理を実行しなければならない。そこで、ＰＯＳ端末は、印刷するすべての付加情報それぞれのビットマップ形式のイメージデータをあらかじめ保持しておき、レシートに付加情報の印刷を行う際には、保持している複数のイメージデータの中から所定のイメージデータを取り出し、そのイメージデータを利用して、レシートに付加情報を印刷する構成が考えられる。この構成によれば、付加情報の印刷時にＰＯＳ端末がイメージデータを加工等する必要がないため、ＰＯＳ端末による付加情報印刷処理を迅速に行うことが可能となる。
【０００５】
ところで、レシートへの付加情報の印刷サービスは、本部と複数の加盟店舗とからなる業務体系においても行われる。このような業務体系において上記のような迅速な付加情報の印刷処理を実現する構成をとる場合、作業効率の向上、および、各店舗間のサービスの共通化等を実現するため、以下のような構成をとることが考えられる。まず、本部がレシートに印刷する付加情報およびそのイメージデータを作成する。そして、各店舗は本部からこのイメージデータを受取り、このイメージデータをＰＯＳ端末がアクセス可能なメモリに格納する。そして、ＰＯＳ端末は、レシート発行の際、このメモリに格納されている所定のイメージデータを取り出し、そのイメージデータを利用して、レシートに付加情報を印刷する。
【０００６】
上記構成によれば、本部が付加情報およびイメージデータを作成し、各店舗はそのイメージデータを受取り、それをそのまま利用してレシートに付加情報を示すイメージを印刷するので、各店舗間で印刷される付加情報の共通化が実現される。また、複数の各店舗は付加情報およびイメージデータを作成する必要がないため、本部と複数の加盟店舗とからなる業務体系全体として見た際の作業効率は向上する。
【０００７】
しかし、上記構成の場合、本部から各店舗に送信するデータ量が大きくなってしまい、データ通信の負担が大きくなってしまう。
【０００８】
そこで、本発明は、本部で作成したデータを利用して、各店舗に設けられたＰＯＳ端末がレシートに付加情報を印刷するサービスを行うレシート作成システムにおいて、本部と各店舗間のデータ通信の負担を軽減することを課題とする。
【課題を解決するための手段】
【０００９】
本発明によれば、センター端末から送信されてきた、レシートにイメージを印刷するための印刷イメージデータを作成するための部品データと、前記部品データを組み合わせて前記印刷イメージデータを作成するための組立情報と、を受信する店舗側受信手段と、前記部品データと前記組立情報を利用して前記印刷イメージデータを作成する店舗側作成手段と、前記店舗側作成手段が作成した前記印刷イメージデータを保持する店舗側保持手段と、前記店舗側保持手段が保持する前記印刷イメージデータをＰＯＳ端末に送信する店舗側送信手段と、を有する店舗端末が提供される。
【００１０】
また、本発明によれば、センター端末と、店舗端末と、ＰＯＳ端末と、からなるレシート作成システムであって、前記センター端末は、レシートにイメージを印刷するための印刷イメージデータを作成するための部品データと、前記部品データを組み合わせて前記印刷イメージデータを作成するための組立情報と、を前記店舗端末に送信するセンター側送信手段を有し、前記店舗端末は、前記センター側送信手段から送信された前記部品データと前記組立情報を受信する店舗側受信手段と、前記部品データと前記組立情報を利用して前記印刷イメージデータを作成する店舗側作成手段と、前記店舗側作成手段が作成した前記印刷イメージデータを保持する店舗側保持手段と、前記店舗側保持手段が保持する前記印刷イメージデータを前記ＰＯＳ端末に送信する店舗側送信手段と、を有し、前記ＰＯＳ端末は、前記店舗側送信手段から送信された前記印刷イメージデータを受信するＰＯＳ側受信手段と、前記ＰＯＳ側受信手段が受信した前記印刷イメージデータを保持するＰＯＳ側保持手段と、前記印刷イメージデータを利用して印刷されるイメージである印刷イメージを、前記ＰＯＳ側保持手段が保持する前記印刷イメージデータを利用してレシートに印刷するＰＯＳ側印刷手段と、を有するレシート作成システムが提供される。
【００１１】
また、本発明によれば、センター端末から送信されてきた、レシートにイメージを印刷するための印刷イメージデータを作成するための部品データと、前記部品データを組み合わせて前記印刷イメージデータを作成するための組立情報と、を受信する工程と、前記部品データと前記組立情報を利用して前記印刷イメージデータを作成する工程と、前記作成した前記印刷イメージデータを格納する工程と、格納されている前記印刷イメージデータをＰＯＳ端末に送信する工程と、を有する店舗端末によるデータ処理方法が提供される。
【００１２】
また、本発明によれば、センター端末から送信されてきた、レシートにイメージを印刷するための印刷イメージデータを作成するための部品データと、前記部品データを組み合わせて前記印刷イメージデータを作成するための組立情報と、を受信する処理と、前記部品データと前記組立情報を利用して前記印刷イメージデータを作成する処理と、前記作成した前記印刷イメージデータを格納する処理と、格納されている前記印刷イメージデータをＰＯＳ端末に送信する処理と、を店舗端末のコンピュータに実行させるためのプログラムが提供される。
【発明の効果】
【００１３】
本発明によれば、本部で作成したデータを利用して、各店舗に設けられたＰＯＳ端末がレシートに付加情報を印刷するサービスにおいて、このサービスを行うために本部から各店舗に送信されるデータ量を低減することが可能となる。
【図面の簡単な説明】
【００１４】
【図１】本実施形態のレシート作成システムの構成の一例を示す概念図である。
【図２】本実施形態の印刷イメージおよび部品データを説明するための模式図である。
【図３】実施形態１のセンター端末の機能ブロック図の一例である。
【図４】本実施形態の印刷イメージおよび部品データを説明するための模式図である。
【図５】本実施形態の印刷イメージを説明するための模式図である。
【図６】実施形態１の店舗端末の機能ブロック図の一例である。
【図７】実施形態１のＰＯＳ端末の機能ブロック図の一例である。
【図８】実施形態２のＰＯＳ端末の機能ブロック図の一例である。
【図９】実施形態３の店舗端末の機能ブロック図の一例である。
【図１０】実施形態４の印刷イメージの一例を示す図である。
【図１１】実施形態４のＰＯＳ端末の機能ブロック図の一例である。
【発明を実施するための形態】
【００１５】
以下、本発明の実施の形態について、図面を用いて説明する。すべての図面において、同様な構成要素には同様の符号を付し、適宜説明を省略する。
【００１６】
なお、各実施形態のセンター端末、店舗端末、ＰＯＳ端末を構成する各部は、任意のコンピュータのＣＰＵ、メモリ、メモリにロードされたプログラム（あらかじめ装置を出荷する段階からメモリ内に格納されているプログラムのほか、ＣＤなどの記憶媒体やインターネット上のサーバなどからダウンロードされたプログラムも含む）、そのプログラムを格納するハードディスクなどの記憶ユニット、ネットワーク接続用インターフェイスを中心にハードウエアとソフトウエアの任意の組合せによって実現される。そして、その実現方法、装置にはいろいろな変形例があることは、当業者には理解されるところである。
【００１７】
また、各実施形態の説明において利用する図３、図６、図７、図８、図９、図１１の機能ブロック図は、ハードウエア単位の構成ではなく、機能単位のブロックを示している。これらの図においては、各実施形態のセンター端末、店舗端末、および、ＰＯＳ端末のそれぞれは１つの物理的に分離した装置により実現されるよう記載されているが、その実現手段はこれに限定されない。すなわち、２つ以上の物理的に分離した装置を有線または無線で接続し、これら複数の装置により、各実施形態のセンター端末、店舗端末、および、ＰＯＳ端末のそれぞれを実現してもよい。
＜＜実施形態１＞＞
【００１８】
まず、図１を用いて、本実施形態の概要を説明する。本実施形態のレシート作成システムは、センターに設けられるセンター端末１０と、各店舗に設けられる店舗端末２０およびＰＯＳ端末３０と、を有する。店舗の数や、各店舗に設けられる店舗端末２０およびＰＯＳ端末３０の数は図示するものに制限されない。
【００１９】
センターでは、各店舗のＰＯＳ端末３０にて発行されるレシートに印刷する付加情報およびそのイメージ（以下、「印刷イメージ」という）を決定し、この印刷イメージのイメージデータ（以下、「印刷イメージデータ」という。）を作成するための複数の部品データを作成する。印刷イメージとしては、例えば、図２（ａ）に示すような割引対象商品の写真、商品名、割引金額、有効期限などの情報が記載されたクーポン券などが考えられる。この印刷イメージの印刷イメージデータを作成するための複数の部品データとしては、例えば、クーポン券の背景（図２（ｂ））のデータと、割引対象商品の写真（図２（ｃ））のデータと、文字・数字情報（図２（ｄ））のデータとすることができる。センターは、センター端末１０を介して、部品データを各店舗の店舗端末２０に送信する。
【００２０】
店舗端末２０は、部品データを取得すると、この部品データを利用し、印刷イメージデータを作成する。そして、作成した印刷イメージデータを、ＰＯＳ端末３０に送信する。ＰＯＳ端末３０は、受信した印刷イメージデータをメモリに格納する。そして、レシート発行の際、この印刷イメージデータを取り出し、取り出した印刷イメージデータを利用して、レシートに付加情報を示す印刷イメージを印刷する。
【００２１】
ここで、センターは部品データでなく印刷イメージデータを作成し、センター端末１０は印刷イメージデータを店舗端末２０に送信する構成とした場合、複数の印刷イメージデータに共通するデータ、例えば背景データなどを何度も送信してしまうこととなり、データ通信における無駄が多い。しかし、本実施形態のように、センターは部品データを作成し、センター端末１０は部品データを店舗端末２０に送信する構成とした場合、複数の印刷イメージデータに共通するデータを何度も送信しなくてすむ。これは、複数の印刷イメージデータに共通するデータは、一度店舗側に送信すれば、その後の店舗側での印刷イメージデータ作成の際、それを複数の印刷イメージデータの作成のために併用することができるためである。結果、本実施形態の構成によれば、センター端末１０から店舗端末２０に送信するデータ量を低減することが実現される。
【００２２】
このような本実施形態のレシート作成システムは、各店舗にデータを送信するためのセンター端末を備えるセンターと、センター端末から送信されてきたデータを受信するための店舗端末およびレシートを発行するためのＰＯＳ端末を備える複数の店舗と、からなる構成であれば、あらゆる業種、例えば、コンビニエンスストア、飲食店、スーパーマーケット、本屋、ドラッグストアなど、において利用することができる。
【００２３】
以下、本実施形態のレシート作成システムの構成について詳細に説明する。
＜センター端末１０＞
【００２４】
図３に、本実施形態のセンター端末１０の機能ブロック図の一例を示す。図に示すように、本実施形態のセンター端末１０は、センター側送信部１１を有する。
【００２５】
センター側送信部１１は、レシートに印刷イメージを印刷するための印刷イメージデータを作成するための部品データと、部品データを組み合わせて印刷イメージデータを作成するための組立情報と、を各店舗に設けられる店舗端末２０（図１参照）に送信する。
【００２６】
レシートに印刷される印刷イメージとは、レシートに印刷される付加情報を示すイメージであり、イラスト、写真、文字、数字などの情報から構成される。レシートに印刷される付加情報としては特段制限されず、例えば、商品の割引や特典サービスなどのクーポン券、特定のカードを用いて商品などの支払いをした際に蓄積されるポイント数、特定のカードを用いて特定の商品を購入した際に蓄積されるポイント数、販売している商品・提供している特典サービスに関する広告、現在実施中または将来実施予定の特典サービスの通知などの販促情報が考えられる。なお、この例示列挙はあくまで一例であり、付加情報はその他の情報であってもよい。レシートにこのような印刷イメージを印刷するための印刷イメージデータは、ビットマップ形式のデータとすることができる。
【００２７】
部品データは、印刷イメージデータを作成するためのデータである。具体的には、部品データは、印刷イメージ内に存在する複数の情報の中の一部に関するデータである。部品データは、ビットマップ形式のデータとすることができる。なお、文字、数字情報からなる部品データについては、テキスト形式のデータとすることも可能である。以下、部品データの具体例を示す。
【００２８】
例えば、図２（ａ）に示すような、イラスト、写真、文字・数字などの複数の情報が存在している印刷イメージの印刷イメージデータを作成するための部品データとしては、背景（図２（ｂ））のデータ、および、写真（図２（ｃ））のデータ、および、文字・数字情報（図２（ｄ））のデータ、であってもよい。また、図４（ａ）に示すようなイラスト、文字などの複数の情報が存在している印刷イメージの印刷イメージデータを作成するための部品データとしては、枠および文字（図４（ｂ））のデータ、および、スタンプとなるイラスト（図４（ｃ））のデータ、であってもよい。本実施形態の場合、図４（ｂ）、（ｃ）の部品データを利用すれば、図４（ａ）に示す印刷イメージの印刷イメージデータのほか、図５に示すような、押印されたスタンプ数が異なる複数の印刷イメージの印刷イメージデータを作成することができる。
【００２９】
なお、図２、４を用いて説明した部品データはあくまで一例であり、どのような単位の情報を１つの部品データとするかはこの例に限定されない。しかし、この例のように、複数の印刷イメージに共通の情報のみからなる情報、例えば図２（ｂ）に示す背景のデータ、図４（ｂ）に示す枠のデータ、図４（ｃ）に示すスタンプのデータそれぞれを１つの部品データとするのが望ましい。また、１つの印刷イメージに複数回表示される情報のみからなる情報、例えば図４（ｃ）に示すスタンプ（図５参照）のデータを１つの部品データとするのが望ましい。このようにすれば、センター端末１０から店舗端末２０に同じデータを複数回送信するのを回避することができ、結果、送信するデータ量を効率的に低減することが実現される。
【００３０】
次に、組立情報は、部品データを組み合わせて印刷イメージデータを作成するための情報である。組立情報は、部品特定情報と位置特定情報とを関連付けた情報を含んでもよい。
【００３１】
部品特定情報とは、レシートに印刷される印刷イメージごとに、その印刷イメージデータを作成するため使用する部品データを特定する情報であり、位置特定情報とは、当該印刷イメージデータ内における特定した部品データの位置を特定する情報である。
【００３２】
部品特定情報は、印刷イメージごとに付与された識別情報と、部品データごとに付与された識別情報と、を利用した情報とすることができる。すなわち、部品特定情報は、例えば図２（ａ）、図４（ａ）、図５のそれぞれの印刷イメージごとに付与された識別情報と、例えば図２（ｂ）、（ｃ）、（ｄ）、図４（ｂ）、（ｃ）それぞれのイメージの部品データごとに付与された識別情報と、を利用した情報とすることができる。具体的には、図２（ａ）の印刷イメージに付与された識別情報に、図２（ｂ）のイメージの部品データに付与された識別情報および図２（ｃ）のイメージの部品データに付与された識別情報および図２（ｄ）のイメージの部品データに付与された識別情報を関連付けた情報であってもよい。
【００３３】
位置特定情報は、レシートに印刷する印刷イメージの印刷イメージデータとしてあらかじめ定められた所定の形状、大きさの領域内における、部品データの位置を特定する情報とすることができる。具体的には、位置特定情報は、当該領域に任意に定められた座標軸を利用して、各部品データの位置を特定する情報であってもよい。この座標軸を利用した各部品データの位置を特定する位置特定情報は、すべての部品データの位置を、この座標軸を利用した絶対座標で特定した情報であってもよい。または、位置特定情報は、１つの印刷イメージデータを作成するために使用する複数の部品データの中の任意の１つを親部品データとし、他の部品データを子部品データと定め、印刷イメージデータ内の親部品データの位置を絶対座標で特定する情報と、子部品データの位置を親部品データの位置からの相対座標で特定する情報と、からなってもよい。
【００３４】
センター側送信部１１は、センターにて作成された上記のような部品データと、組立情報とを店舗端末に送信する。例えば、ＷＡＮ（Ｗｉｄｅ  Ａｒｅａ  Ｎｅｔｗｏｒｋ）、インターネット等を介して送信する。
＜店舗端末２０＞
【００３５】
図６に、本実施形態の店舗端末２０の機能ブロック図の一例を示す。図に示すように、本実施形態の店舗端末２０は、店舗側受信部２１と、店舗側作成部２２と、店舗側保持部２３と、店舗側送信部２４と、を有する。
【００３６】
店舗側受信部２１は、センター側送信部１１（図３参照）から、ＷＡＮ、インターネット等を介して送信されてきた部品データと組立情報とを受信する。
【００３７】
店舗側作成部２２は、店舗側受信部２１が受信した部品データと組立情報とを利用して、印刷イメージデータを作成する。ここで作成される印刷イメージデータは、ビットマップ形式のデータとすることができる。例えば、店舗側作成部２２は以下のような処理を行う。
【００３８】
まず、店舗側作成部２２は、任意の１つの組立情報を抽出すると、その組立情報の中に含まれる部品特定情報を利用して、１つの印刷イメージデータを作成するために利用する部品データを特定する。例えば、店舗側作成部２２は、任意の１つの部品特定情報を利用して、図４（ｂ）、（ｃ）の部品データを特定する。
【００３９】
その後、店舗側作成部２２は、組立情報を利用し、図４（ｂ）、（ｃ）の部品データを組み合わせることで、図４（ａ）に示す印刷イメージの印刷イメージデータを作成する。例えば、抽出した組立情報の中に含まれる位置特定情報を利用して、レシートに印刷する印刷イメージの印刷イメージデータとしてあらかじめ定められた所定の形状、大きさの領域内における、特定した部品データ、例えば図４（ｂ）、（ｃ）それぞれの部品データの位置を特定する。その後、各部品データを特定した位置に配置し、これらを重ね合わせることで、図４（ａ）に示す印刷イメージの印刷イメージデータを作成する。組立情報の中には、各部品データを重ね合わせる際の前後関係、すなわち、いずれの部品データが前面に配置され、いずれの部品データが背面に配置されるかを定めた情報を有していてもよい。そして、店舗側作成部２２はこの情報に従って、各部品データの重ね合わせの前後関係を決定してもよい。店舗側作成部２２は、すべての組立情報を利用して、上述のような処理により、複数の印刷イメージデータを作成する。そして、作成した印刷イメージデータは、店舗側保持部２３に渡される。
【００４０】
ここで、店舗側受信部２１が受信した部品データの中のいくつかは、複数の印刷イメージデータを作成するために利用される。例えば、図４（ｂ）、（ｃ）の部品データは、図４（ａ）に示す印刷イメージのほか、図５に示す複数の印刷イメージそれぞれの印刷イメージデータを作成するために利用される。このように、本実施形態の店舗端末２０は、受信した部品データの中のいくつかを、複数の印刷イメージデータを作成するために併用する点で特徴を有する。このため、複数の印刷イメージデータに共通の部品データは、店舗端末２０とセンター端末１０間での通信において何度も送受信されることがなくなり、結果、店舗端末２０とセンター端末１０間におけるデータの通信量を減らすことが実現される。
【００４１】
店舗側保持部２３は、店舗側作成部２２が作成した印刷イメージデータを保持する。店舗側保持部２３は、ＨＤＤなどの不揮発性メモリで構成される。
【００４２】
店舗側送信部２４は、店舗側保持部２３が保持する印刷イメージデータをＰＯＳ端末３０（図１参照）に送信する。送信する手段としては特段制限されず、例えば、ＬＡＮ（Ｌｏｃａｌ  Ａｒｅａ  Ｎｅｔｗｏｒｋ）、インターネット等を介して送信してもよい。または、店舗側送信部２４は、可搬型の装置を介して、印刷イメージデータをＰＯＳ端末３０に送信してもよい。すなわち、店舗側送信部２４は有線または無線での通信により可搬型の装置に印刷イメージデータを送信し、ＰＯＳ端末３０は有線または無線での通信により可搬型の装置から印刷イメージデータを受信してもよい。
＜ＰＯＳ端末３０＞
【００４３】
図７に、本実施形態のＰＯＳ端末３０の機能ブロック図の一例を示す。図に示すように、本実施形態のＰＯＳ端末３０は、ＰＯＳ側受信部３１と、ＰＯＳ側保持部３２と、ＰＯＳ側印刷部３３と、を有する。
【００４４】
ＰＯＳ側受信部３１は、店舗側送信部２４（図６参照）から送信されてきた印刷イメージデータを受信する。例えば、ＰＯＳ側受信部３１は、ＬＡＮ（Ｌｏｃａｌ  Ａｒｅａ  Ｎｅｔｗｏｒｋ）、インターネット、可搬型の装置等を介して、店舗側送信部２４（図６参照）から印刷イメージデータを受信する。
【００４５】
ＰＯＳ側保持部３２は、ＰＯＳ側受信部３１が受信した印刷イメージデータを保持する。ＰＯＳ側保持部３２は、ＨＤＤなどの不揮発性メモリで構成される。
【００４６】
ＰＯＳ側印刷部３３は、ＰＯＳ側保持部３２が保持する印刷イメージデータを利用して、レシートに印刷イメージを印刷する。すなわち、ＰＯＳ側印刷部３３は、顧客が購入した商品および金額などの情報を印刷したレシートを発行する際、ＰＯＳ側保持部３２から所定の印刷イメージデータを取り出す。そして、あらかじめ定められたレシート上の位置、例えばレシートの底部やレシートの裏面などに、取り出した印刷イメージデータを利用して、印刷イメージを印刷する。印刷方式としては特段制限されないが、例えばサーマル印刷方式であってもよい。
【００４７】
上記のようなセンター端末１０、店舗端末２０、ＰＯＳ端末３０、およびこれらの端末により構成されるレシート作成システムによれば、店舗端末２０とセンター端末１０間でのデータの通信量を減らすことが実現される。
【００４８】
なお、上記説明によれば、以下の発明の説明もなされている。
【００４９】
センター端末から送信されてきた、レシートにイメージを印刷するための印刷イメージデータを作成するための部品データと、前記部品データを組み合わせて前記印刷イメージデータを作成するための組立情報と、を受信する工程と、前記部品データと前記組立情報を利用して前記印刷イメージデータを作成する工程と、前記作成した前記印刷イメージデータを格納する工程と、格納されている前記印刷イメージデータをＰＯＳ端末に送信する工程と、を有する店舗端末によるデータ処理方法。
【００５０】
前記データ処理方法において、前記組立情報は、レシートに印刷されるイメージごとに、その印刷イメージデータを作成するため使用する前記部品データを特定する部品特定情報と、前記印刷イメージデータ内の前記特定した前記部品データの位置を特定する位置特定情報と、を関連付けた情報を含むデータ処理方法。
【００５１】
前記データ処理方法において、１つの印刷イメージデータを作成するために使用する複数の部品データの中の任意の１つを親部品データとし、他の部品データを子部品データとした際に、前記位置特定情報は、前記印刷イメージデータ内の前記親部品データの位置を絶対座標で特定する情報と、前記子部品データの位置を前記親部品データの位置からの相対座標で特定する情報と、からなるデータ処理方法。
【００５２】
前記いずれかのデータ処理方法において、前記印刷イメージデータはビットマップ形式のデータであるデータ処理方法。
【００５３】
センター端末から送信されてきた、レシートにイメージを印刷するための印刷イメージデータを作成するための部品データと、前記部品データを組み合わせて前記印刷イメージデータを作成するための組立情報と、を受信する処理と、前記部品データと前記組立情報を利用して前記印刷イメージデータを作成する処理と、前記作成した前記印刷イメージデータを格納する処理と、格納されている前記印刷イメージデータをＰＯＳ端末に送信する処理と、を店舗端末のコンピュータに実行させるためのプログラム。
【００５４】
前記プログラムにおいて、前記組立情報は、レシートに印刷されるイメージごとに、その印刷イメージデータを作成するため使用する前記部品データを特定する部品特定情報と、前記印刷イメージデータ内の前記特定した前記部品データの位置を特定する位置特定情報と、を関連付けた情報を含むプログラム。
【００５５】
前記プログラムにおいて、１つの印刷イメージデータを作成するために使用する複数の部品データの中の任意の１つを親部品データとし、他の部品データを子部品データとした際に、前記位置特定情報は、前記印刷イメージデータ内の前記親部品データの位置を絶対座標で特定するデータと、前記子部品データの位置を前記親部品データの位置からの相対座標で特定するデータと、からなるプログラム。
【００５６】
前記いずれかのプログラムにおいて、前記印刷イメージデータはビットマップ形式のデータであるプログラム。
＜＜実施形態２＞＞
【００５７】
本実施形態のレシート作成システムは、実施形態１を基本とし、さらに、顧客の性別や年齢等に応じて、適切な印刷イメージをレシートに印刷する機能を有する。このような本実施形態のレシート作成システムによれば、販促効果を十分に期待できる適切な付加情報を適切な顧客に提供することができるので、レシートへの付加情報の印刷による販促効果をさらに高めることが期待できる。
【００５８】
以下、本実施形態のレシート作成システムの構成について詳細に説明する。
＜センター端末１０＞
【００５９】
本実施形態のセンター端末１０の機能ブロック図は、実施形態１のセンター端末１０（図１参照）と同様である。
【００６０】
センター側送信部１１は、部品データと組立情報に加えて、印刷イメージをレシートに印刷するか否かを判断するための条件を印刷イメージごとに定めた印刷条件情報を店舗端末に送信する。なお、印刷イメージごとに定められた印刷条件情報は、各印刷イメージに関連付けられる。例えば、印刷イメージごとに識別情報が付与され、この識別情報が印刷条件情報に関連付けられていてもよい。かかる場合、印刷イメージごとに付与された識別情報は、各印刷イメージの印刷イメージデータを作成するための組立情報に関連付けられてもよい。
【００６１】
印刷イメージをレシートに印刷するか否かを判断するための条件は任意に定めることができる。例えば、顧客の性別、および／または、年齢層、に応じて、各印刷イメージをレシートに印刷するか否かを定めた条件であってもよい。または、顧客の住所に応じて、各印刷イメージをレシートに印刷するか否かを定めた条件であってもよい。または、顧客が購入した商品、顧客が購入した商品の組み合わせ、顧客が購入した合計金額、の中のいずれか一以上に応じて、各印刷イメージをレシートに印刷するか否かを定めた条件であってもよい。または、顧客が過去に購入した商品、顧客が過去に購入した商品の組み合わせ、顧客が過去に購入した合計金額、の中のいずれか一以上に応じて、各印刷イメージをレシートに印刷するか否かを定めた条件であってもよい。または、その日の天気、曜日、レシート発行の際の時間帯の中のいずれか一以上に応じて、各印刷イメージをレシートに印刷するか否かを定めた条件であってもよい。または、所定の特典サービス（例：所定の商品を６個購入すれば商品プレゼント）を受けるよう登録している顧客か否かに応じて、各印刷イメージをレシートに印刷するか否かを定めた条件であってもよい。上記はあくまで一例であり、印刷イメージをレシートに印刷するか否かを判断するための条件は、その他の条件であってもよい。なお、印刷条件情報は、上述のような条件を複数利用した論理式として定められてもよい。
【００６２】
本実施形態では、上記のような条件を定めた印刷条件情報を、センターで作成する。そして、センター側送信部１１は、部品データと組立情報とともに、印刷条件情報を店舗端末２０に送信する。
＜店舗端末２０＞
【００６３】
本実施形態の店舗端末２０の機能ブロック図は、実施形態１の店舗端末２０（図７参照）と同様である。
【００６４】
店舗側受信部２１は、センター側送信部１１から、部品データと組立情報とともに送信されてきた印刷条件情報を受信する。そして、店舗側保持部２３は、店舗側受信部２１が受信した印刷条件情報を、部品データおよび組立情報とともに保持する。そして、店舗側送信部２４は、店舗側保持部２３が保持する印刷条件情報を、印刷イメージデータとともにＰＯＳ端末３０に送信する。
＜ＰＯＳ端末３０＞
【００６５】
図８に、本実施形態のＰＯＳ端末３０の機能ブロック図の一例を示す。図に示すように、本実施形態のＰＯＳ端末３０は、ＰＯＳ側受信部３１と、ＰＯＳ側保持部３２と、ＰＯＳ側印刷部３３と、を有する。そして、ＰＯＳ側印刷部３３は、取得部３４と、抽出部３５と、第１印刷部３６と、を有する。
【００６６】
ＰＯＳ側受信部３１は、店舗側送信部２４から、印刷イメージデータとともに送信されてきた印刷条件情報を受信する。そして、ＰＯＳ側保持部３２は、ＰＯＳ側受信部３１が受信した印刷条件情報を、印刷イメージデータとともに保持する。以下、ＰＯＳ側印刷部３３の構成について詳細に説明する。
【００６７】
取得部３４は、印刷条件情報に基づいて印刷イメージを印刷するか否か判断するための判断材料データを取得する。判断材料は、印刷条件情報の内容に応じて定まる概念である。例えば、印刷条件情報が、顧客の性別、および／または、年齢層、に応じて、各印刷イメージをレシートに印刷するか否かを定めた条件である場合には、レシート発行対象の顧客の性別および年齢層が判断材料となる。その他、印刷条件情報の内容に応じて、例えば、顧客の住所、顧客が購入した商品の種類、顧客が購入した商品の組み合わせ、顧客が購入した合計金額、顧客が過去に購入した商品の種類、顧客が過去に購入した商品の組み合わせ、顧客が過去に購入した合計金額、その日の天気、曜日、レシート発行の際の時間帯、所定の特典サービス（例：所定の商品を６個購入すれば商品プレゼント）を受けるよう登録している顧客か否かを示す情報、などが判断材料となる。
【００６８】
このような判断材料のデータを取得する手段としては、例えば、ＰＯＳ端末３０にこれらの情報を入力するための入力装置（図示せず）を設けておき、取得部３４は、レシート発行処理を行っている操作者がこの入力装置を介して入力した情報を判断材料データとして取得してもよい。その他、ＰＯＳ端末３０に備えられたバーコード読取装置（図示せず）を介し、商品に付されたバーコードを読み取ることでＰＯＳ端末３０が取得した商品の種類および金額などの情報を、取得部３４は判断材料データとして取得してもよい。または、ＰＯＳ端末に備えられたバーコード読取装置が読み取った商品の種類および金額などの情報を利用し、ＰＯＳ端末３０に設けられた演算部（図示せず）が演算処理した結果、例えば合計金額などを、取得部３４は判断材料データとして取得してもよい。
【００６９】
その他、ＰＯＳ端末３０は、顧客情報を記録している顧客所有の記録媒体、例えば会員専用ＩＣカードから情報を読み取るための読取装置（図示せず）を備えておき、会計の際顧客から提示された顧客所有の記録媒体から、この読取装置を利用して顧客情報を読み取ることで、取得部３４は判断材料データの取得を実現してもよい。記録媒体に記録される顧客情報としては、所定の特典サービスを受けるよう登録しているか否かを示す情報、所定の特典サービスの蓄積ポイント、顧客の過去の購入履歴（購入商品、購入商品の組み合わせ、金額、購入合計金額、購入日など）、性別、生年月日、住所の中のいずれか一以上であってもよいし、その他の情報であってもよい。所定の特典サービスの蓄積ポイントとは、例えば、「Ａ商品を１０個購入すれば、１個プレゼント」などの販促サービスを受けるよう顧客が登録している場合に、この顧客の所有する記録媒体に蓄積されているＡ商品購入個数であってもよい。または、系列店舗にて買い物した合計金額に応じた蓄積ポイントであってもよい。前記は一例であり、販促に利用されるその他の蓄積ポイントであってもよい。顧客所有の記録媒体から読み取った蓄積ポイントは、レシートに現在の蓄積ポイント数を印刷するためなどに利用することができる。
【００７０】
抽出部３５は、取得部３４が取得した判断材料データと、ＰＯＳ側保持部３２が保持する印刷条件情報とを利用して、印刷イメージをレシートに印刷するか否か判断する。そして、レシートに印刷するよう判断した印刷イメージを抽出する。印刷イメージの抽出は、印刷イメージの識別情報の抽出とすることができる。例えば、判断材料データと印刷条件情報とを利用した判断の結果、印刷イメージを印刷するよう判断した印刷条件情報に関連付けられている印刷イメージの識別情報を抽出してもよい。
【００７１】
第１印刷部３６は、抽出部３５が抽出した１つ以上の印刷イメージの中から、レシートに印刷する印刷イメージを決定する。そして、レシートに印刷するよう決定した印刷イメージの印刷イメージデータを、ＰＯＳ側保持部３２から取得し、この印刷イメージデータを利用して、レシートに印刷イメージを印刷する。
【００７２】
抽出部３５が抽出した１つ以上の印刷イメージの中から、レシートに印刷する印刷イメージを決定する手段としては、例えば、あらかじめ、すべての印刷イメージに優先順位を定めておき、この優先順位に従って、レシートに印刷する印刷イメージを決定してもよい。この処理は、例えば、第１印刷部３６は、すべての印刷イメージの優先順位を記載したデータをあらかじめＰＯＳ側受信部３１を介して取得し、保持しておき、このデータを利用することで、実現してもよい。その他の決定手段としては、第１印刷部３６は、複数の印刷イメージの中から無作為に所定数の印刷イメージを決定してもよい。なお、印刷するよう決定する印刷イメージの数は、１つでもよいし、２つ以上でもよい。
【００７３】
ここで、上記例では、抽出部３５は判断材料データおよび印刷条件情報を利用して、レシートに印刷するよう判断したすべての印刷イメージを抽出し、第１印刷部３６は、抽出部３５が抽出した印刷イメージの中から、印刷する所定数の印刷イメージを決定する構成を示した。しかし、ＰＯＳ端末による迅速な処理を実現するため、例えば、以下のような構成とすることもできる。
【００７４】
すなわち、あらかじめ複数の印刷条件情報に優先順位を定めておき、抽出部３５は優先順位の高い印刷条件情報から順に利用して、上記判断および抽出を行う。または、優先順位の高い印刷イメージに関連付けられている印刷条件情報から順に利用して、上記判断および抽出を行う。そして、所定数の印刷イメージの抽出がなされると、抽出部３５はその時点で抽出処理を終了し、抽出した印刷イメージを第１印刷部３６に通知する。そして、第１印刷部３６は通知されたすべての印刷イメージを印刷するよう決定し、この印刷イメージの印刷イメージデータをＰＯＳ側保持部３２から取得するとともに、レシートにこの印刷イメージを印刷する。このような構成によれば、抽出部３５の処理および第１印刷部の処理いずれも、処理効率を向上させることができる。
＜＜実施形態３＞＞
【００７５】
本実施形態のレシート作成システムは、実施形態２を基本とし、印刷条件情報を作成する主体が異なる点で相違する。具体的には、実施形態２のレシート作成システムでは、センターにて印刷条件情報が作成される。しかし、本実施形態のレシート作成システムでは、各店舗にて印刷条件情報が作成される。
【００７６】
適切な顧客に適切な販促情報を提供することで、販促効果はより高まる。よって、いずれの顧客にどの印刷イメージを印刷するか判断するための条件を定めた印刷条件情報は、レシートへの付加情報の印刷による販促効果を高める上で重要な要素である。
【００７７】
いずれの顧客にどの印刷イメージを印刷するのが良いかの判断は、店舗の位置、店舗の周囲の環境などにより変わりうる概念である。例えば、学生街に存在する店舗と、ビジネス街に存在する店舗とでは、十分な販促効果を得るためにレシートに付与すべき販促情報は異なる。
【００７８】
本実施形態のレシート作成システムによれば、各店舗にて、店舗ごとの印刷条件情報が作成されるので、レシートへの付加情報の印刷による販促効果をさらに高めることが期待できる。
【００７９】
以下、本実施形態のレシート作成システムの構成について詳細に説明する。なお、センター端末１０およびＰＯＳ端末３０の構成については、実施形態２と同様であるので、ここでの説明は省略する。
＜店舗端末２０＞
【００８０】
図９に、本実施形態の店舗端末２０の機能ブロック図の一例を示す。図に示すように、本実施形態の店舗端末２０は、店舗側受信部２１と、店舗側作成部２２と、店舗側保持部２３と、店舗側送信部２４と、店舗側条件作成部２５と、を有する。店舗側受信部２１および店舗側作成部２２および店舗側保持部２３および店舗側送信部２４の構成については、実施形態２と同様であるので、ここでの説明は省略する。
【００８１】
店舗側条件作成部２５は、ユーザの入力に従い、印刷イメージをレシートに印刷するか否かを判断するための条件を印刷イメージごとに定めた印刷条件情報を作成する。印刷条件情報の概念については、実施形態２における説明通りである。
【００８２】
店舗側条件作成部２５が印刷条件情報を作成する具体的手段としては、例えば、以下のような手段であってもよい。まず、店舗側条件作成部２５は、店舗側保持部２３に印刷イメージデータを保持されている複数の印刷イメージの中から１つの印刷イメージを選択するためのインターフェイスを、店舗端末２０に備えられたディスプレイに表示する。このインターフェイスには、店舗側保持部２３に保持されている複数の印刷イメージデータを利用して、これらの印刷イメージを一覧表示（例：サムネイル表示など）などしてもよい。そして、店舗側条件作成部２５は、１つの印刷イメージの選択入力を受付けると、その印刷イメージの印刷条件情報作成のための入力インターフェイスとして、レシートに印刷するための条件、例えば年齢層、性別、などを入力可能なインターフェイスをディスプレイに表示する。そして、店舗側条件作成部２５は、このインターフェイスから受付けた入力内容を利用して、印刷条件情報を作成し、作成した印刷条件情報を、選択された印刷イメージに関連付けて、店舗側保持部２３に保持する。
【００８３】
このようなインターフェイスを用いれば、店舗にて、容易に、印刷条件情報を作成することができる。
＜＜実施形態４＞＞
【００８４】
本実施形態のレシート作成システムは、実施形態１乃至３のいずれかを基本とし、さらに、レシートに印刷される印刷イメージ内に、レシート発行対象の顧客に応じてＰＯＳ端末が決定した情報を追記するよう構成されている。例えば、本実施形態のレシート作成システムは、印刷イメージ内の所定位置に、所定の特典サービスにおけるその顧客の蓄積ポイントを文字や数字などで記載する。
【００８５】
実施形態１乃至３においても、蓄積ポイントをレシートに印刷することはできる。しかし、例えば、蓄積ポイント数が０ポイントから１０００ポイントまで１ポイントずつ蓄積されていくようなものだった場合、実施形態１乃至３の構成によれば、０から１０００までの各ポイント数を示した印刷イメージデータをあらかじめ保持しておくこととなる。このような構成では、無駄に多くの印刷イメージデータを保持することとなり、その結果、レシートに印刷するために利用する印刷イメージデータを抽出する際の検索処理に時間を要したり、内部メモリを無駄に必要とするなどの不都合が生じうる。
【００８６】
本実施形態によれば、上述の問題を解消することが実現される。また、レシートに付加情報を示す印刷イメージを印刷するためのＰＯＳ端末による処理は、可能な限り少なく構成しているので、ＰＯＳ端末の処理の迅速性も十分確保できる。
【００８７】
以下、本実施形態のレシート作成システムの構成について詳細に説明する。なお、センター端末１０の構成については、実施形態１乃至３のいずれかと同様であるので、ここでの説明は省略する。
＜店舗端末２０＞
【００８８】
本実施形態の店舗端末２０の機能ブロック図は、実施形態１の店舗端末２０（図６参照）または実施形態３の店舗端末２０（図９参照）と同様である。以下、店舗側作成部２２、店舗側保持部２３、店舗側送信部２４について説明する。
【００８９】
店舗側作成部２２は、組立情報の中に付与スペース情報が含まれている場合には、その組立情報を利用して作成した印刷イメージデータに当該付与スペース情報を関連付ける。
【００９０】
ここで、付与スペース情報について説明する。本実施形態の印刷イメージの中には、ＰＯＳ端末３０が顧客ごとに取得した顧客データを利用して決定される追加情報を付与するための付与スペースが設けられているものが存在する。このような印刷イメージとしては、例えば、図１０に示すような、蓄積ポイント数を数字にて示す印刷イメージであってもよい。この例の場合、ＰＯＳ端末３０が決定する追加情報は蓄積ポイント数であり、付与スペースは、図中、Ａで示される領域である。
【００９１】
そして、付与スペースが設けられている印刷イメージの組立情報の中には、当該印刷イメージの印刷イメージデータ内における付与スペースの位置を特定するための付与スペース情報が含まれている。
【００９２】
すなわち、付与スペース情報とは、印刷イメージの印刷イメージデータ内における、ＰＯＳ端末３０が決定した追加情報を付与するための付与スペースＡの位置を特定するための情報である。付与スペース情報は、座標を利用した情報とすることができる。例えば、付与スペース情報は、印刷イメージデータ内の任意の位置（例：左上）を原点とした座標軸を利用して、複数の座標（例：矩形に構成された付与スペースの４つの頂点）で示される情報であってもよい。なお、付与スペース情報のぞれぞれには、その付与スペースに記載すべき情報の内容を示した付与スペース記載情報が含まれていてもよい。
【００９３】
店舗側作成部２２は、組立情報の中に付与スペース情報が含まれている場合には、その組立情報を利用して作成した印刷イメージデータに、その組立情報の中に含まれている付与スペース情報を関連付ける。そして、店舗側保持部２３は、印刷イメージデータとともに、印刷イメージデータに関連付けられた付与スペース情報を保持する。そして、店舗側送信部２４は、店舗側保持部２３が保持する付与スペース情報を、印刷イメージデータとともに、ＰＯＳ端末３０に送信する。
＜ＰＯＳ端末３０＞
【００９４】
図１１に、本実施形態のＰＯＳ端末３の機能ブロック図の一例を示す。図に示すように、本実施形態のＰＯＳ端末３０は、ＰＯＳ側受信部３１と、ＰＯＳ側保持部３２と、ＰＯＳ側印刷部３３と、を有する。そして、ＰＯＳ側印刷部３３は、決定部３７と、第２印刷部３８と、を有する。
【００９５】
ＰＯＳ側受信部３１は、店舗側送信部２４から、印刷イメージデータとともに送信されてきた付与スペース情報を受信する。そして、ＰＯＳ側保持部３２は、ＰＯＳ側受信部３１が受信した付与スペース情報を、印刷イメージデータとともに保持する。以下、ＰＯＳ側印刷部３３の構成について詳細に説明する。
【００９６】
決定部３７は、ＰＯＳ端末３０が顧客ごとに取得した顧客データを利用して追加情報を決定する。
【００９７】
顧客データは、例えば、所定の特典サービス（例：所定の商品を６個購入すれば商品プレゼント）における顧客の蓄積ポイント、過去の購入履歴、性別、生年月日、住所の中のいずれか一以上のデータを記録している顧客所有の記録媒体（例：会員専用ＩＣカード）からＰＯＳ端末３０が読み取った情報であってもよい。または、顧客データは、上記に加えて／上記に変えて、顧客のレシート発行の際の買い物における購入商品、購入金額のいずれか一以上の情報であってもよい。このような顧客データの取得手段としては、上述の判断材料のデータの取得手段と同様にして実現することができる。
【００９８】
上述のような顧客データを利用して決定される追加情報は、例えば、顧客データである蓄積ポイントと、レシート発行の際の買い物における購入商品および／または購入金額と、を利用して決定される、最新の蓄積ポイントであってもよい。または、例えば、会員専用ＩＣカードを利用して買い物を行った所定の性別および／または所定の年齢および／または所定の住所の顧客であって、当該顧客の中の１００番目にレシートが発行される顧客に商品券プレゼントという販促サービスを行っているとする。かかる場合の追加情報としては、顧客データである性別、生年月日、住所の中のいずれか一以上を利用してレシート発行対象の顧客が販促サービスの対象者か否かを判断し、対象者であると判断した際に、それまでのカウント数を利用して決定される、その顧客のレシート発行の順番であってもよい。なお、上記はあくまで一例であり、顧客データを利用して決定される追加情報はその他の情報であってもよい。
【００９９】
決定部３７が追加情報を決定する処理の流れは、例えば以下のようなものであってもよい。まず、レシートに印刷するために利用する印刷イメージデータが決まると、決定部３７はその印刷イメージデータで示される印刷イメージに追加情報を付与するための付与スペースが設けられているか判断する。この判断は、例えば、当該印刷イメージデータに付与スペース情報が関連付けられているか否かを確認することで実現してもよい。そして、付与スペースが設けられていると判断した場合には、決定部３７は、例えば、その付与スペース情報に含まれている付与スペース記載情報の内容を利用して、その付与スペースに記載すべき情報を認識する。その後、あらかじめＰＯＳ端末３０が取得していた複数のデータの中から所定のデータを顧客データとして取得し、この顧客データを利用して、追加情報を決定してもよい。なお上記処理の流れはあくまで一例であり、これに限定されない。
【０１００】
第２印刷部３８は、レシートに印刷するため利用する印刷イメージデータ内のその印刷イメージデータに関連付けられている付与スペース情報で特定される位置に、決定部３７が決定した追加情報を付与したイメージを、レシートに印刷する。
【０１０１】
すなわち、第２印刷部３８は、決定した追加情報を決定部３７から受け取ると、その追加情報を、印刷に利用する印刷イメージデータ内の付与スペース情報で特定される所定の位置に配置し、このイメージをレシートの所定の位置に印刷する。
＜＜実施形態５＞＞
【０１０２】
本実施形態のレシート作成システムは、実施形態１乃至４のいずれかを基本とし、さらに、以下のような構成を有する。本実施形態のレシートに印刷される印刷イメージの中には、レシートに印刷される期間を日にちで定められたものが存在する（例：２００９年１月１日から２００９年３月３１日まで）。このため、本実施形態のセンターは、１日分ごとの部品データおよび組立情報を作成する。例えば、本実施形態のセンターは、２００９年１月１日分の部品データおよび組立情報、２００９年１月２日分の部品データおよび組立情報などのように、部品データおよび組立情報を作成する。
【０１０３】
そして、本実施形態のセンター端末は、少なくとも当日分と翌日分の部品データおよび組立情報を店舗端末に送信し、本実施形態の店舗端末は、当日分と翌日分の印刷イメージデータを作成するとともにＰＯＳ端末に送信する。すなわち、本実施形態のＰＯＳ端末は、当日分と翌日分の印刷イメージデータを保持する。
【０１０４】
このような構成によれば、例えばコンビニエンスストアなどの２４時間営業を行っている店舗において、日にちの変更に伴うレシートに印刷するために利用する印刷イメージデータ群の変更処理を、空白時間が発生することなく、スムーズに実施することができる。その結果、レシートに印刷される期間を過ぎ去ってしまった印刷イメージをレシートに印刷してしまったり、レシートに印刷される期間になっていない印刷イメージをレシートに印刷してしまったり、という不都合が生じるのを回避することができる。すなわち、レシートに販促情報などの付加情報を示す印刷イメージを印刷するサービスを、円滑に進めることが実現される。
【０１０５】
以下、本実施形態のレシート作成システムの構成について詳細に説明する。
＜センター端末１０＞
【０１０６】
本実施形態のセンター端末１０の機能ブロック図は、実施形態１のセンター端末１０（図１参照）と同様である。
【０１０７】
センター側送信部１１は、１日ごとにその日の利用分として定められた部品データおよび組立情報の中の、少なくとも当日分と翌日分の部品データおよび組立情報を店舗端末に送信する。
【０１０８】
本実施形態の印刷イメージの中には、レシートに印刷する期間を日にち（年月日）で定められているものが含まれる。このため、センターは、この印刷する期間の条件を満たすよう、１日分ごとの部品データおよび組立情報を作成する。例えば、２００９年１月１日分の部品データおよび組立情報として、２００９年１月１日に利用される印刷イメージデータを作成するための部品データおよび組立情報を作成する。また、２００９年１月２日分の部品データおよび組立情報として、２００９年１月２日に利用される印刷イメージデータを作成するための部品データおよび組立情報を作成する。そして、センター側送信部１１は、少なくとも当日分と翌日分の部品データおよび組立情報を店舗端末に送信する。
【０１０９】
センター側送信部１１が少なくとも当日分と翌日分の部品データおよび組立情報を送信する時間としては特段制限されない。しかし、送信される「当日分」の部品データおよび組立情報は、前日のデータ送信時に「翌日分」として送信された部品データおよび組立情報を基本とし、部品データおよび／または組立情報の内容の変更・追加・削除などの微調整を加えたものとすることができる。よって、センター側送信部１１からのデータ送信時間は、この微調整を有効に利用できる時間帯であってもよい。すなわち、日にちの変わる直前（例：２３時５９分）および直後（例：０時０１分）の時間は避けた、他の適当な時間、例えば、９時以降１７時以前の時間帯の中の任意の時間であってもよい。
＜店舗端末２０＞
【０１１０】
本実施形態の店舗端末２０の機能ブロック図は、実施形態１の店舗端末２０（図６参照）または実施形態３の店舗端末２０（図９参照）と同様である。以下、店舗側受信部２１、店舗側作成部２２、店舗側保持部２３、店舗側送信部２４について説明する。
【０１１１】
店舗側受信部２１は、センター側送信部１１から送信されてきた少なくとも当日分と翌日分の部品データおよび組立情報を受信する。
【０１１２】
店舗側作成部２２は、店舗側受信部２１が受信した部品データおよび組立情報を利用し、任意の時間に当日分と翌日分の印刷イメージデータを作成する。なお、店舗側作成部２２が当日分と翌日分の印刷イメージデータを作成する時間は任意の設計事項であるが、上述の通り、「当日分」の部品データおよび組立情報の中には、前日のデータ送信時に「翌日分」として送信された部品データおよび組立情報を基本とし、部品データおよび／または組立情報の内容の変更・追加・削除などの微調整を加えたものとすることができる。かかる場合、この微調整を反映させた当日分の印刷イメージデータを早急に作成し、この印刷イメージデータを利用してのレシートへの印刷処理に早急に切り替えるのが望ましい。よって、店舗側作成部２２は、店舗側受信部２１が当日分と翌日分の部品データおよび組立情報を受信すると、それをトリガに、店舗側受信部２１が受信した当日分と翌日分の部品データおよび組立情報を利用して、当日分と翌日分の印刷イメージデータを作成してもよい。
【０１１３】
なお、当日分の印刷イメージデータの作成と、翌日分の印刷イメージデータの作成は、必ずしも同じタイミングで行う必要はなく、異なるタイミングで行ってもよい。当日分の印刷イメージデータは、上述の通り、できるだけ早急に作成するのが望ましい。一方、翌日分の印刷イメージデータは、遅くとも日にちの変わるタイミング（０時）までに、ＰＯＳ側保持部３２に保持され、ＰＯＳ側印刷部３３がレシートへの印刷のために利用可能な状態となっていればよい。
【０１１４】
店舗側保持部２３は、店舗側作成部２２が作成した少なくとも当日分と翌日分の印刷イメージデータを保持する。そして、店舗側送信部２４は、店舗側保持部２３が保持している、少なくとも当日分と翌日分の印刷イメージデータを、ＰＯＳ端末３０に送信する。店舗側送信部２４による送信のタイミングは任意の設計事項であるが、店舗側送信部２４は、店舗側保持部２３が当日分と翌日分の印刷イメージデータを保持すると、それをトリガに、店舗側保持部２３から当日分と翌日分の印刷イメージデータを取得し、ＰＯＳ端末３０に送信してもよい。このような構成にすれば、上記微調整を反映した印刷イメージの印刷を早急に開始することが可能となる。
【０１１５】
なお、当日分の印刷イメージデータの送信と、翌日分の印刷イメージデータの送信は、必ずしも同じタイミングで行う必要はなく、異なるタイミングで行ってもよい。当日分の印刷イメージデータは、上述の通り、できるだけ早急に送信するのが望ましい。一方、翌日分の印刷イメージデータは、遅くとも日にちの変わるタイミング（０時）までに、ＰＯＳ側保持部３２に保持され、ＰＯＳ側印刷部３３がレシートへの印刷のために利用可能な状態となっていればよい。
＜ＰＯＳ端末３０＞
【０１１６】
本実施形態のＰＯＳ端末３０の機能ブロック図は、実施形態１のＰＯＳ端末３０（図７参照）または実施形態２のＰＯＳ端末３０（図８参照）または実施形態４のＰＯＳ端末３０（図１１参照）と同様である。
【０１１７】
ＰＯＳ側受信部３１は、店舗側送信部２４から送信されてきた少なくとも当日分と翌日分の印刷イメージデータを受信する。そして、ＰＯＳ側保持部３２はＰＯＳ側受信部３１が受信した少なくとも当日分と翌日分の印刷イメージデータを保持する。
【０１１８】
ＰＯＳ側印刷部３３は、ＰＯＳ側保持部３２がその日の「当日分」の印刷イメージデータを保持するまでは、前日にＰＯＳ側保持部３２が「翌日分」の印刷イメージデータとして保持した印刷イメージデータを利用して、レシートへの印刷イメージの印刷処理を行う。そして、ＰＯＳ側印刷部３３は、ＰＯＳ側保持部３２がその日の「当日分」の印刷イメージデータを保持した後は、当日分の印刷イメージデータを利用して、レシートへの印刷イメージの印刷処理を行う。
【０１１９】
その後、日にちが変わると、ＰＯＳ側印刷部３３は、前日にＰＯＳ側保持部３２が「翌日分」として保持した印刷イメージデータを利用して、レシートへの印刷イメージの印刷処理を行う。
【０１２０】
なお、ＰＯＳ側印刷部３３が日にちの変更を判断する手段としては、任意の手段を利用することができる。例えば、発行するレシートに日時情報を印刷するため、ＰＯＳ端末３０がＰＯＳ端末３０に内蔵された時計から日時情報を取得するよう構成されている場合には、ＰＯＳ側印刷部３３は、この日時情報を利用して、日にちの変更を判断してもよい。
以下、参考形態の例を付記する。
１．  センター端末から送信されてきた、レシートにイメージを印刷するための印刷イメージデータを作成するための部品データと、前記部品データを組み合わせて前記印刷イメージデータを作成するための組立情報と、を受信する店舗側受信手段と、
前記部品データと前記組立情報を利用して前記印刷イメージデータを作成する店舗側作成手段と、
前記店舗側作成手段が作成した前記印刷イメージデータを保持する店舗側保持手段と、
前記店舗側保持手段が保持する前記印刷イメージデータをＰＯＳ端末に送信する店舗側送信手段と、を有する店舗端末。
２．  １に記載の店舗端末において、
前記組立情報は、レシートに印刷されるイメージごとに、その印刷イメージデータを作成するため使用する前記部品データを特定する部品特定情報と、前記印刷イメージデータ内の前記特定した前記部品データの位置を特定する位置特定情報と、を関連付けた情報を含む店舗端末。
３．  ２に記載の店舗端末において、
１つの印刷イメージデータを作成するために使用する複数の前記部品データの中の任意の１つを親部品データとし、他の部品データを子部品データとした際に、前記位置特定情報は、前記印刷イメージデータ内の前記親部品データの位置を絶対座標で特定する情報と、前記子部品データの位置を前記親部品データの位置からの相対座標で特定する情報と、からなる店舗端末。
４．  １から３のいずれか一に記載の店舗端末において、
前記印刷イメージデータはビットマップ形式のデータである店舗端末。
５．  センター端末と、店舗端末と、ＰＯＳ端末と、からなるレシート作成システムであって、
前記センター端末は、
レシートにイメージを印刷するための印刷イメージデータを作成するための部品データと、前記部品データを組み合わせて前記印刷イメージデータを作成するための組立情報と、を前記店舗端末に送信するセンター側送信手段を有し、
前記店舗端末は、
前記センター側送信手段から送信された前記部品データと前記組立情報を受信する店舗側受信手段と、
前記部品データと前記組立情報を利用して前記印刷イメージデータを作成する店舗側作成手段と、
前記店舗側作成手段が作成した前記印刷イメージデータを保持する店舗側保持手段と、
前記店舗側保持手段が保持する前記印刷イメージデータを前記ＰＯＳ端末に送信する店舗側送信手段と、を有し、
前記ＰＯＳ端末は、
前記店舗側送信手段から送信された前記印刷イメージデータを受信するＰＯＳ側受信手段と、
前記ＰＯＳ側受信手段が受信した前記印刷イメージデータを保持するＰＯＳ側保持手段と、
前記印刷イメージデータを利用して印刷されるイメージである印刷イメージを、前記ＰＯＳ側保持手段が保持する前記印刷イメージデータを利用してレシートに印刷するＰＯＳ側印刷手段と、
を有するレシート作成システム。
６．  ５に記載のレシート作成システムにおいて、
前記センター端末の前記センター側送信手段は、前記部品データと前記組立情報に加えて、前記印刷イメージをレシートに印刷するか否かを判断するための条件を前記印刷イメージごとに定めた印刷条件情報を前記店舗端末に送信し、
前記店舗端末の前記店舗側受信手段は、前記印刷条件情報を受信し、
前記店舗端末の前記店舗側保持手段は、前記印刷条件情報を保持し、
前記店舗端末の前記店舗側送信手段は、前記店舗側保持手段が保持する前記印刷条件情報を前記ＰＯＳ端末に送信し、
前記ＰＯＳ端末の前記ＰＯＳ側受信手段は、前記印刷条件情報を受信し、
前記ＰＯＳ端末の前記ＰＯＳ側保持手段は、前記印刷条件情報を保持し、
前記ＰＯＳ端末の前記ＰＯＳ側印刷手段は、
前記印刷条件情報に基づいて前記印刷イメージを印刷するか否か判断するための判断材料データを取得する取得手段と、
前記取得手段が取得した前記判断材料データと、前記ＰＯＳ側保持手段が保持する前記印刷条件情報とを利用して、前記印刷イメージをレシートに印刷するか否か判断し、レシートに印刷するよう判断した前記印刷イメージを抽出する抽出手段と、
前記抽出手段が抽出した１つ以上の前記印刷イメージの中から、レシートに印刷する前記印刷イメージを決定し、決定した前記印刷イメージの前記印刷イメージデータを利用してレシートに前記印刷イメージを印刷する第１印刷手段と、
を有するレシート作成システム。
７．  ５に記載のレシート作成システムにおいて、
前記店舗端末は、
ユーザの入力に従い、前記印刷イメージをレシートに印刷するか否かを判断するための条件を前記印刷イメージごとに定めた印刷条件情報を作成する店舗側条件作成手段をさらに有し、
前記店舗端末の前記店舗側保持手段は、前記印刷条件情報を保持し、
前記店舗端末の前記店舗側送信手段は、前記店舗側保持手段が保持する前記印刷条件情報を前記ＰＯＳ端末に送信し、
前記ＰＯＳ端末の前記ＰＯＳ側受信手段は、前記印刷条件情報を受信し、
前記ＰＯＳ端末の前記ＰＯＳ側保持手段は、前記印刷条件情報を保持し、
前記ＰＯＳ端末の前記ＰＯＳ側印刷手段は、
前記印刷条件情報に基づいて前記印刷イメージを印刷するか否か判断するための判断材料データを取得する取得手段と、
前記取得手段が取得した前記判断材料データと、前記ＰＯＳ側保持手段が保持する前記印刷条件情報とを利用して、前記印刷イメージをレシートに印刷するか否か判断し、レシートに印刷するよう判断した前記印刷イメージを抽出する抽出手段と、
前記抽出手段が抽出した１つ以上の前記印刷イメージの中から、レシートに印刷する前記印刷イメージを決定し、決定した前記印刷イメージの前記印刷イメージデータを利用してレシートに前記印刷イメージを印刷する第１印刷手段と、
を有するレシート作成システム。
８．  ６または７に記載のレシート作成システムにおいて、
前記ＰＯＳ側印刷手段の前記取得手段は、
所定のサービスの蓄積ポイント、購入履歴、性別、生年月日、住所の中のいずれか一以上のデータを記録している顧客所有の記録媒体から前記ＰＯＳ端末が読み取った情報を、前記判断材料データとして取得するレシート作成システム。
９．  ５から８のいずれか一に記載のレシート作成システムにおいて、
前記組立情報は、レシートに印刷されるイメージごとに、その印刷イメージデータを作成するため使用する前記部品データを特定する部品特定情報と、前記印刷イメージデータ内の前記特定した前記部品データの位置を特定する位置特定情報と、を関連付けた情報を含むレシート作成システム。
１０．  ９に記載のレシート作成システムにおいて、
１つの印刷イメージデータを作成するために使用する複数の部品データの中の任意の１つを親部品データとし、他の部品データを子部品データとした際に、前記位置特定情報は、前記印刷イメージデータ内の前記親部品データの位置を絶対座標で特定する情報と、前記子部品データの位置を前記親部品データの位置からの相対座標で特定する情報と、からなるレシート作成システム。
１１．  ５から１０のいずれか一に記載のレシート作成システムにおいて、
前記印刷イメージデータはビットマップ形式のデータであるレシート作成システム。
１２．  ５から１１のいずれか一に記載のレシート作成システムにおいて、
前記印刷イメージの中には、前記ＰＯＳ端末が顧客ごとに取得した顧客データを利用して決定される追加情報を付与するための付与スペースが設けられているものが存在し、当該印刷イメージの前記組立情報の中には、当該印刷イメージの前記印刷イメージデータ内の前記付与スペースの位置を特定するための付与スペース情報が含まれており、
前記店舗端末の前記店舗側作成手段は、前記組立情報の中に前記付与スペース情報が含まれている場合には、その組立情報を利用して作成した前記印刷イメージデータに前記付与スペース情報を関連付け、
前記店舗端末の前記店舗側保持手段は、前記印刷イメージデータに関連付けられた前記付与スペース情報を保持し、
前記店舗端末の前記店舗側送信手段は、前記店舗側保持手段が保持する前記付与スペース情報を前記ＰＯＳ端末に送信し、
前記ＰＯＳ端末の前記ＰＯＳ側受信手段は、前記付与スペース情報を受信し、
前記ＰＯＳ端末の前記ＰＯＳ側保持手段は、前記付与スペース情報を保持し、
前記ＰＯＳ端末の前記ＰＯＳ側印刷手段は、
前記ＰＯＳ端末が顧客ごとに取得した前記顧客データを利用して前記追加情報を決定する決定手段と、
レシートに印刷するため利用する前記印刷イメージデータ内のその印刷イメージデータに関連付けられている前記付与スペース情報で特定される位置に、前記決定手段が決定した前記追加情報を付与したイメージを、レシートに印刷する第２印刷手段と、
を有するレシート作成システム。
１３．  １２に記載のレシート作成システムにおいて、
前記顧客データは、所定のサービスの蓄積ポイント、購入履歴、性別、生年月日、住所の中のいずれか一以上のデータを記録している顧客所有の記録媒体から前記ＰＯＳ端末が読み取った情報、および／または、その顧客の当該買い物における購入商品、購入金額のいずれか一以上の情報、であるレシート作成システム。
１４．  ５から１３のいずれか一に記載のレシート作成システムにおいて、
前記印刷イメージの中には、レシートに印刷する期間を年月日で定められたものが含まれており、
前記センター端末の前記センター側送信手段は、１日ごとにその日の利用分として定められた前記部品データおよび前記組立情報の中の、少なくとも当日分と翌日分の前記部品データおよび前記組立情報を前記店舗端末に送信し、
前記店舗端末の前記店舗側作成手段は、任意の時間に当日分と翌日分の前記印刷イメージデータを作成し、
前記店舗端末の前記店舗側送信手段は、少なくとも当日分と翌日分の前記印刷イメージデータを前記ＰＯＳ端末に送信するレシート作成システム。
１５．  センター端末から送信されてきた、レシートにイメージを印刷するための印刷イメージデータを作成するための部品データと、前記部品データを組み合わせて前記印刷イメージデータを作成するための組立情報と、を受信する工程と、
前記部品データと前記組立情報を利用して前記印刷イメージデータを作成する工程と、
前記作成した前記印刷イメージデータを格納する工程と、
格納されている前記印刷イメージデータをＰＯＳ端末に送信する工程と、を有する店舗端末によるデータ処理方法。
１６．  １５に記載のデータ処理方法において、
前記組立情報は、レシートに印刷されるイメージごとに、その印刷イメージデータを作成するため使用する前記部品データを特定する部品特定情報と、前記印刷イメージデータ内の前記特定した前記部品データの位置を特定する位置特定情報と、を関連付けた情報を含むデータ処理方法。
１７．  １６に記載のデータ処理方法において、
１つの印刷イメージデータを作成するために使用する複数の部品データの中の任意の１つを親部品データとし、他の部品データを子部品データとした際に、前記位置特定情報は、前記印刷イメージデータ内の前記親部品データの位置を絶対座標で特定する情報と、前記子部品データの位置を前記親部品データの位置からの相対座標で特定する情報と、からなるデータ処理方法。
１８．  １５から１７のいずれか一に記載のデータ処理方法において、
前記印刷イメージデータはビットマップ形式のデータであるデータ処理方法。
１９．  センター端末から送信されてきた、レシートにイメージを印刷するための印刷イメージデータを作成するための部品データと、前記部品データを組み合わせて前記印刷イメージデータを作成するための組立情報と、を受信する処理と、
前記部品データと前記組立情報を利用して前記印刷イメージデータを作成する処理と、
前記作成した前記印刷イメージデータを格納する処理と、
格納されている前記印刷イメージデータをＰＯＳ端末に送信する処理と、を店舗端末のコンピュータに実行させるためのプログラム。
２０．  １９に記載のプログラムにおいて、
前記組立情報は、レシートに印刷されるイメージごとに、その印刷イメージデータを作成するため使用する前記部品データを特定する部品特定情報と、前記印刷イメージデータ内の前記特定した前記部品データの位置を特定する位置特定情報と、を関連付けた情報を含むプログラム。
２１．  ２０に記載のプログラムにおいて、
１つの印刷イメージデータを作成するために使用する複数の部品データの中の任意の１つを親部品データとし、他の部品データを子部品データとした際に、前記位置特定情報は、前記印刷イメージデータ内の前記親部品データの位置を絶対座標で特定するデータと、前記子部品データの位置を前記親部品データの位置からの相対座標で特定するデータと、からなるプログラム。
２２．  １９から２１のいずれか一に記載のプログラムにおいて、
前記印刷イメージデータはビットマップ形式のデータであるプログラム。
【符号の説明】
【０１２１】
１０    センター端末
１１    センター側送信部
２０    店舗端末
２１    店舗側受信部
２２    店舗側作成部
２３    店舗側保持部
２４    店舗側送信部
２５    店舗側条件作成部
３０    ＰＯＳ端末
３１    ＰＯＳ側受信部
３２    ＰＯＳ側保持部
３３    ＰＯＳ側印刷部
３４    取得部
３５    抽出部
３６    第１印刷部
３７    決定部
３８    第２印刷部
【図１】
0005500629.tif 000002
【図２】
0005500629.tif 000003
【図３】
0005500629.tif 000004
【図４】
0005500629.tif 000005
【図５】
0005500629.tif 000006
【図６】
0005500629.tif 000007
【図７】
0005500629.tif 000008
【図８】
0005500629.tif 000009
【図９】
0005500629.tif 000010
【図１０】
0005500629.tif 000011
【図１１】
0005500629.tif 000012